【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
中に物品を受け入れるための内側空間を有する袋を画定するように、対向する側部及び底端に沿って互いに接合された可撓性フィルムの前面及び背面シートと、
前記前面または背面シートの少なくとも一方に形成された、前記袋の外側環境と前記内側空間との間の連通を提供するための開口と、
前記開口上に重なって前記開口を覆っており、前記前面または背面シートの外側表面に連続熱封着部により直接接合された、微生物を透過させないが気体を透過させるコーティングされていない繊維材料と
を備えている滅菌可能な袋であって、
前記開口を有する前記前面または背面シートを備えた前記フィルムは、前記コーティングされていない繊維材料を引き裂くことなく前記コーティングされていない繊維材料が前記外側表面から剥離可能に除去され得るように、剥離機能部を有する層を含んでおり、
前記剥離機能部は、
１）連続熱封着部の剥離強度が４ｌｂ／ｉｎより小さくなるように選択されたポリマー材料混合物を含んだ前記フィルムの外側層、または、
２）断裂可能な中間層であって、該断裂可能な中間層が前記コーティングされていない繊維材料を前記外側表面に接合している前記連続熱封着部の剥離強度よりも小さい剥離強度を有しており、そのため、前記断裂可能な中間層を前記熱封着部に沿って断裂させる、前記前面または背面シートの前記外側表面からの前記コーティングされていない繊維材料の剥離除去により、前記コーティングされていない繊維材料が除去され得る、断裂可能な中間層
を備えている滅菌可能な袋。
【請求項２】
前記前面及び背面シートの対向する側縁が、前記袋の側部綴じ目を画定する熱封着部により互いに接合されており、前記コーティングされていない繊維材料を前記前面または背面シートの前記外側表面に接合している前記連続熱封着部が、前記側部綴じ目上に少なくとも部分的に重なっている、請求項１に記載の滅菌可能な袋。
【請求項３】
前記コーティングされていない繊維材料が、前記フィルムに接続されずに連続綴じ目と前記コーティングされていない繊維材料の周縁との間に延びた縁部を含んでいる、請求項１に記載の滅菌可能な袋。
【請求項４】
前記縁部が、前記連続綴じ目と周縁との間に、約０．５ｃｍ〜約１５ｃｍ延びている、請求項３に記載の滅菌可能な袋。
【請求項５】
前記前面及び背面シートがそれぞれ、前記袋の前記内側空間内へのアクセス開口を画定するように互いに接続されていない対向する上縁を含んでいる、請求項１に記載の滅菌可能な袋。
【請求項６】
請求項１に記載の滅菌可能な袋を備えている包装体であって、該包装体が、
前記前面及び背面シートの一方により形成された少なくとも１つの壁を有する封着された収容部であって、前記少なくとも１つの壁が、前記包装体の前記外側環境と前記包装体の前記内側空間との間の連通を提供するための、その中に形成された前記開口を含んでいる、封着された収容部と、
前記少なくとも１つの壁の外側表面に配され、前記開口を覆っており、連続熱封着部により前記少なくとも１つの壁と直接接合されたコーティングされていない繊維材料とを備え、
前記少なくとも１つの壁を形成している前記可撓性フィルムが、前記コーティングされていない繊維材料を前記外側表面に接合している前記熱封着部の剥離強度よりも小さい剥離強度を有する断裂可能な中間層を有する多層フィルムを備えており、前記少なくとも１つの壁から前記コーティングされていない繊維材料を剥離除去して、前記断裂可能な中間層を前記熱封着部に沿って断裂させることにより、前記コーティングされていない繊維材料が除去され得るように構成されている、滅菌可能な包装体。
【請求項７】
前記コーティングされていない繊維材料が、コーティングされていない紙またはコーティングされていない不織布を備えている、請求項６に記載の包装体。
【請求項８】
前記前面及び背面シートが、内側空間を画定するように、対向する隣接した端に沿って互いに接合されている、請求項６に記載の包装体。
【請求項９】
前記断裂可能な中間層が、約０．７５〜３．５ｌｂ／ｉｎの剥離強度を有している、請求項６に記載の包装体。
【請求項１０】
前記前面シートの開口が前記前面シートに形成されていると共に、前記前面シートが外側層と断裂可能な中間層とを有する多層フィルムを備えており、
側部綴じ目が、前記対向する側端に沿って長手方向に延びていると共に、前記前面及び背面シートを互いに接合しており、
底部綴じ目が、前記底端に沿って幅方向に延びていると共に、前記前面及び背面シートを互いに接合しており、
連続綴じ目が、前記コーティングされていない繊維材料の周縁に位置または隣接していると共に、前記コーティングされていない繊維材料を前記前面シートの前記外側層に直接接合している、請求項１に記載の滅菌可能な袋であって、
前記連続綴じ目の剥離強度が、前記断裂可能な中間層の剥離強度よりも大きく、そのため、前記前面シートから前記コーティングされていない繊維材料を剥離除去して、前記断裂可能な中間層を断裂させることにより、前記開口へのアクセスが達成され得るように構成されている、請求項１に記載の滅菌可能な袋。
【請求項１１】
前記前面及び背面シートが、対向する表面に熱封着可能な熱可塑性材料をそれぞれ含んでいる、請求項１０に記載の袋。
【請求項１２】
前記袋の前記内側空間内へのアクセス開口を画定するように、前記前面及び背面シートの上端が互いに接続されていない、請求項１０に記載の袋。
【請求項１３】
可撓性フィルムの第１シート材料に開口を形成する工程と、
コーティングされていない繊維材料が前記開口上に重なって前記開口を覆うように、前記コーティングされていない繊維材料を連続熱封着部により前記第１シート材料に直接添着する工程と、
可撓性フィルムの第２シート材料を、対向する前記第１シート材料の表面に、複数の側部綴じ目及び１つの底部綴じ目を介して、袋を形成するように接合する工程であって、前記コーティングされていない繊維材料を引き裂くことなく前記コーティングされていない繊維材料が前記外側表面から剥離可能に除去され得るように、前記第１シート材料を備えた前記フィルムが剥離機能部を有する層を含んでいる、工程と
を備えた請求項１に記載の滅菌可能な袋を作成する方法であって、
前記剥離機能部が、
１）前記連続熱封着部の剥離強度が４ｌｂ／ｉｎより小さくなるように選択されたポリマー材料混合物を含んだ前記フィルムの外側層、または、
２）断裂可能な中間層であって、該断裂可能な中間層が前記コーティングされていない繊維材料を前記外側表面に接合している前記連続熱封着部の剥離強度よりも小さい剥離強度を有しており、そのため、前記前面または背面シートの前記外側表面から前記コーティングされていない繊維材料を剥離除去して、前記断裂可能な中間層を前記熱封着部に沿って断裂させることにより、前記コーティングされていない繊維材料が除去され得る、断裂可能な中間層
を備えている、請求項１に記載の滅菌可能な袋を作成する方法。
【請求項１４】
前記コーティングされていない繊維材料を前記シート材料の前記外側表面に添着する工程が、前記第１シート材料の一部及び前記コーティングされていない繊維材料を、熱及び圧力下において、熱封着要素に約１００〜５００ミリ秒（ｍｓ）接触させ、その後、前記封着要素を直ちに急冷して約５００〜９００ｍｓ冷却することを備える、請求項１３に記載の方法。
【請求項１５】
前記封着要素の急冷の後に、前記熱封着要素が解放される、請求項１３に記載の方法。
【請求項１６】
前記コーティングされていない繊維材料を前記シート材料の前記外側表面に添着する工程が、前記第１シート材料の一部及び前記コーティングされていない繊維材料を、熱及び圧力下において、熱封着要素に約２５０〜３５０ｍｓ接触させ、その後、前記封着要素を直ちに急冷して約６５０〜７５０ｍｓ冷却することを備える、請求項１３に記載の方法。
【請求項１７】
請求項１〜１６のいずれか１項に記載の袋の、該袋の中に物品を包装するための使用方法。
【請求項１８】
請求項１〜１６のいずれか１項に記載の袋の、該袋の中に封入された物品を殺菌するための使用方法。